(57)【特許請求の範囲】
【請求項１】
建築躯体の所定の面を照射する照明装置であって、
照明光を出射する光照射部と、
前記光照射部が出射する照明光の照射領域の端部の少なくとも一部が前記所定の面と当該所定の面に隣接する面との境界における所定の基準点に一致するように当該照射領域を決定する決定部と、を備え、
前記光照射部は、
前記決定部が決定した前記照射領域に応じて前記所定の面を照射し、
前記照射領域の端部のうち前記境界に一致していない端部にグラデーション処理をした照明光を出射する
照明装置。
【請求項２】
前記所定の面は略多角形の形状を有し、
前記決定部は、前記照射領域の端部の少なくとも一部が前記所定の面の頂点に位置する基準点に一致するように当該照射領域を決定する
請求項１に記載の照明装置。
【請求項３】
前記所定の面は壁面であり、
前記決定部は、前記照射領域の端部の少なくとも一部が前記壁面の天井面側に位置する基準点に一致するように当該照射領域を決定する
請求項１に記載の照明装置。
【請求項４】
前記所定の面は壁面であり、
前記決定部は、前記照射領域の端部の少なくとも一部が前記壁面の床面側に位置する基準点に一致するように当該照射領域を決定する
請求項１に記載の照明装置。
【請求項５】
前記決定部は、前記照射領域の端部の少なくとも一部が前記境界に一致するように当該照射領域を決定する
請求項１〜４のいずれか１項に記載の照明装置。
【請求項６】
前記光照射部は、前記グラデーション処理をした照明光として、前記照明光の照度が前記照射領域外の照度に向けて段階的に変化する光を出射する
請求項１〜５のいずれか１項に記載の照明装置。
【請求項７】
前記光照射部は、前記グラデーション処理をした照明光として、前記照明光の色温度が前記照射領域外の色温度に向けて段階的に変化する光を出射する
請求項１〜６のいずれか１項に記載の照明装置。
【請求項８】
前記所定の面は、同一平面上にない複数の隣接する面を含み、
前記決定部は、前記照射領域の端部の少なくとも一部が前記複数の隣接する面と当該複数の隣接する面に隣接する面との境界における所定の基準点に一致するように当該照射領域を決定する
請求項１〜７のいずれか１項に記載の照明装置。
【請求項９】
請求項１〜８のいずれか１項に記載の照明装置と、
前記所定の基準点を検出する検出部と、を備える
照明システム。
【発明の詳細な説明】
【技術分野】
【０００１】
本発明は、建築躯体を照射する照明装置及び照明システムに関する。
【背景技術】
【０００２】
建築躯体（壁、天井、床等）を照射する照明装置が知られている。例えば、特許文献１には、このような照明装置に関する技術が開示されている。
【先行技術文献】
【特許文献】
【０００３】
【特許文献１】特開２００９−２９０３５４号公報
【発明の概要】
【発明が解決しようとする課題】
【０００４】
ところで、照明装置で建築躯体を照射する際に、例えば壁と当該壁に隣接する壁、天井及び床との境界（建築躯体の境界とも呼ぶ）と、照明装置の照射領域の端部とを一致させることで、ユーザに高い没入感及び臨場感を与えられることを発明者は発見した。例えば、壁と当該壁に隣接する壁、天井及び床との境界と照射領域の端部とを一致させた状態で、樹木の陰影を伴う照射パターンや風景画等を映し出す照明光が壁面に照射された場合、ユーザは、照明光で映し出された風景が元から壁面にあったように感じる。
【０００５】
しかしながら、照明装置の施工後に照明装置に加わる振動又は衝撃等の外力によって照明装置の照射領域がずれてしまうことがある。照明装置が施工された後であっても、建築躯体の境界と照射領域の端部とを一致させた状態を維持するためには、日常的に照明装置の照射領域のズレを補正する必要があり、手間がかかってしまう。
【０００６】
そこで本発明は、日常的に照明装置の照射領域のズレを補正することなくユーザに高い没入感及び臨場感を与えられる照明装置及び照明システムを提供することを目的とする。
【課題を解決するための手段】
【０００７】
本発明の一態様に係る照明装置は、建築躯体の所定の面を照射する照明装置であって、照明光を出射する光照射部と、前記光照射部が出射する照明光の照射領域の端部の少なくとも一部が前記所定の面と当該所定の面に隣接する面との境界における所定の基準点に一致するように当該照射領域を決定する決定部と、を備え、前記光照射部は、前記決定部が決定した前記照射領域に応じて前記所定の面を照射する。
【０００８】
本発明の一態様に係る照明システムは、上記の照明装置と、前記所定の基準点を検出する検出部と、を備える。
【発明の効果】
【０００９】
本発明に係る照明装置及び照明システムによれば、日常的に照明装置の照射領域のズレを補正することなくユーザに高い没入感及び臨場感を与えられる。
【図面の簡単な説明】
【００１０】
【図１】図１は、実施の形態１に係る照明システムの設置例を示す図である。
【図２】図２は、実施の形態１に係る照明システムの構成図である。
【図３】図３は、基準点を説明するための図である。
【図４】図４は、実施の形態１に係る光照射部が出射する照明光の照射領域を説明するための図である。
【図５】図５は、実施の形態１に係る決定部の動作を説明するための図である。
【図６Ａ】図６Ａは、壁面が照射領域よりも大きい状態を示す図である。
【図６Ｂ】図６Ｂは、壁面の床面側の基準点の前に障害物がある状態を示す図である。
【図６Ｃ】図６Ｃは、実施の形態１に係る決定部の、調整点を天井面側に位置する基準点に一致させるときの動作を説明するための図である。
【図７Ａ】図７Ａは、壁面の天井面側の基準点の前に障害物がある状態を示す図である。
【図７Ｂ】図７Ｂは、実施の形態１に係る決定部の、調整点を床面側に位置する基準点に一致させるときの動作を説明するための図である。
【図８】図８は、実施の形態１に係る光照射部の、調整点と壁面の四隅に位置する基準点とが一致していないときの動作を説明するための図である。
【図９Ａ】図９Ａは、実施の形態２に係る照明システムの設置例を示す図である。
【図９Ｂ】図９Ｂは、建築躯体の境界における曲面を説明するための図である。
【図９Ｃ】図９Ｃは、実施の形態２に係る光照射部及び決定部の動作を説明するための図である。
【図１０Ａ】図１０Ａは、実施の形態３に係る照明システムの設置例を示す図である。
【図１０Ｂ】図１０Ｂは、実施の形態３に係る光照射部及び決定部の動作を説明するための図である。
【発明を実施するための形態】
【００１１】
以下、本発明の実施の形態について、図面を用いて詳細に説明する。なお、以下で説明する実施の形態は、いずれも本発明の好ましい一具体例を示す。以下の実施の形態で示される形状、構成要素、構成要素の配置位置及び接続形態等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。また、各図は、模式図であり、必ずしも厳密に図示されたものではない。
【００１２】
（実施の形態１）
以下、実施の形態１について、図１から図８を用いて説明する。
【００１３】
［照明システムの構成］
図１は、実施の形態１に係る照明システム１の設置例を示す図である。
【００１４】
照明システム１は、例えば建築物の内部空間（例えば部屋）において、建築躯体を照射する照明システムである。図１には、建築躯体として、壁面１００、１１０、天井面１２０及び床面１３０が示されている。
【００１５】
壁面１００は略多角形の形状を有するが、本実施の形態では、壁面１００は略四角形の形状を有し、壁面１００の左右に壁面１１０が隣接し、上下に天井面１２０と床面１３０とが隣接している。なお、「略＊＊」との記載は、「略四角形」を例に挙げて説明すると、完全な四角形はもとより、実質的に四角形と認められるものを含む意図である。
【００１６】
図２は、実施の形態１に係る照明システム１の構成図である。
【００１７】
照明システム１は、照明装置１０及び検出部２０を備える。
【００１８】
照明装置１０は、建築躯体の所定の面を照射する照明装置であって、光照射部１１及び決定部１２を備える。
【００１９】
光照射部１１は、照明空間を演出する照明光を出射する。光照射部１１は、例えば光源（図示せず）と映像素子（図示せず）とを備える。光照射部１１は、光源から出射された光を透過型の映像素子を透過、又は、反射型の映像素子を反射させて、照射パターン又は画像等を映し出す照明光を壁面１００に照射する。これにより、壁面１００に例えば樹木の陰影を伴う照射パターンや風景画等の画像が映し出され、照明空間が演出される。なお、光照射部１１は、動画を映し出す照明光を出射してもよい。また、光照射部１１は、単に白色光又は有色光等を出射してもよい。
【００２０】
決定部１２は、光照射部１１が出射する照明光の照射領域の端部の少なくとも一部が建築躯体の所定の面と当該所定の面に隣接する面との境界における所定の基準点に一致するように照射領域を決定する。ここで、照射領域の端部とは、照射領域と照射領域外との境界のことである。本実施の形態では、建築躯体の所定の面を壁面１００とし、壁面１００に隣接する面を壁面１１０、天井面１２０及び床面１３０とする。決定部１２の動作については、後述する図５で詳細に説明する。照射領域については、後述する図４で詳細に説明する。また、所定の基準点は、壁面１００と、壁面１００に隣接する壁面１１０、天井面１２０及び床面１３０との境界（建築躯体の境界とも呼ぶ）に存在する点である。ここで、所定の基準点について、図３を用いて説明する。
【００２１】
図３は、基準点１０１を説明するための図である。
【００２２】
図３に示されるように、基準点１０１は、例えば、壁面１００の頂点に位置する。言い換えると、基準点１０１は、略四角形の形状を有する壁面１００の四隅の頂点に位置する。つまり、基準点１０１は、壁面１００と壁面１１０と天井面１２０とが交差する点、及び、壁面１００と壁面１１０と床面１３０とが交差する点となる。なお、基準点１０１は、壁面１００の四隅にのみ位置するとは限らない。例えば、基準点１０１は、壁面１００と天井面１２０との境界、壁面１００と壁面１１０との境界、又は、壁面１００と床面１３０との境界上に並んだ点の集まり（線）であってもよい。つまり、基準点１０１は、壁面１００と天井面１２０との境界線、壁面１００と壁面１１０との境界線、又は、壁面１００と床面１３０との境界線であってもよい。
【００２３】
検出部２０は、建築躯体の境界における所定の基準点１０１を検出する。検出部２０は、例えばカメラであり、撮影部（図示せず）を備える。検出部２０は、壁面１００、１１０、天井面１２０及び床面１３０を撮影し、これらの境界における基準点１０１を検出する。検出部２０は、基準点１０１として、上述したように、壁面１００と壁面１１０と天井面１２０とが交差する点又は壁面１００と壁面１１０と床面１３０とが交差する点、つまり、壁面１００の四隅を検出する。なお、検出部２０は、カメラに限らず、例えば、距離画像センサであってもよく、また、テストパターン投影によって検出するものであってもよい。つまり、検出部２０は、３次元形状を検出できるものであればよい。そして、検出部２０は、検出した基準点１０１を示す情報を決定部１２に送る。
【００２４】
次に、光照射部１１が出射する照明光の照射領域について、図４を用いて説明する。
【００２５】
図４は、実施の形態１に係る光照射部１１が出射する照明光の照射領域２００を説明するための図である。
【００２６】
照射領域２００は、光照射部１１が出射する照明光が照射される領域であり、例えば、図４に示されるような画像が映し出される領域である。照射領域２００は、例えば、壁面１００の形状に応じた形状を有する領域となる。一般的に、壁は四角形の形状を有することが多く、本実施の形態においても、壁面１００は、図４に示されるように略四角形の形状を有する。そして、照射領域２００は、後述する決定部１２の動作によって、壁面１００の形状に合わせた略四角形の領域となる。また、図４には、照射領域２００の端部（周囲）の少なくとも一部として、照射領域２００の四隅に調整点２０１が示される。
【００２７】
［決定部の動作］
次に、決定部１２の動作について、図５を用いて説明する。
【００２８】
図５は、実施の形態１に係る決定部１２の動作を説明するための図である。
【００２９】
決定部１２は、照射領域２００の端部の少なくとも一部が壁面１００（所定の面）の頂点に位置する基準点１０１に一致するように照射領域２００を決定する。本実施の形態では、決定部１２は、照射領域２００の端部の少なくとも一部として調整点２０１が基準点１０１に一致するように照射領域２００を決定する。例えば、図４に示されるように、照明システム１（照明装置１０）に加わる振動又は衝撃等の外力によって照射領域２００が壁面１００からずれてしまった場合でも、決定部１２は、調整点２０１が基準点１０１に一致するように照射領域２００を決定する。図５には、決定部１２が、照射領域２００の端部が建築躯体の境界に一致するように照射領域２００を決定したときの状態が示される。上述したように、壁面１００は略四角形の形状を有しており、決定部１２が調整点２０１を壁面１００の四隅である基準点１０１に一致させることで、壁面１００の形状と照射領域２００の形状とが一致する。つまり、調整点２０１と基準点１０１とを一致させることで、照射領域２００の端部を壁面１００と、壁面１１０、天井面１２０及び床面１３０との境界に一致させることができる。なお、図５では、決定部１２は、照射領域２００の端部が建築躯体の境界に一致するように照射領域２００を決定したが、照射領域２００の端部の少なくとも一部が建築躯体の境界に一致するように照射領域２００を決定してもよい。つまり、決定部１２は、照射領域２００の端部全体が建築躯体の境界に一致するように照射領域２００を決定しなくてもよい。
【００３０】
なお、調整点２０１は、照射領域２００の四隅にのみ位置するとは限らない。例えば、調整点２０１は、照射領域２００の端部の少なくとも一部にあればよい。例えば、調整点２０１は、照射領域２００の端部上に並んだ点の集まり（線）であってもよい。この場合、決定部１２は、照射領域２００の端部上に並んだ調整点２０１の集まりが建築躯体の境界上に並んだ基準点１０１の集まりに一致するように照射領域２００を決定する。これにより、照明光で照射される所定の面が略四角形の形状のように単純な形状を有していない場合でも、照射領域２００の端部を建築躯体の境界に一致させることができる。
【００３１】
次に、調整点２０１を壁面１００の四隅の基準点１０１に一致させられない場合の決定部１２の動作について図６Ａ〜図７Ｂを用いて説明する。
【００３２】
図６Ａは、壁面１００が照射領域２００よりも大きい状態を示す図である。
【００３３】
図６Ｂは、壁面１００の床面１３０側の基準点１０１ｂの前に障害物１４０ａがある状態を示す図である。
【００３４】
図６Ａに示されるように、壁面１００の大きさが、光照射部１１が光を照射可能な領域よりも大きい場合、決定部１２は、調整点２０１を壁面１００の四隅の基準点１０１に一致させられない。また、図６Ｂに示されるように、障害物１４０ａが壁面１００の前に床面１３０側の基準点１０１ｂが隠れるように床面１３０に設置された場合、決定部１２は、調整点２０１を壁面１００の四隅の基準点１０１に一致させられない。そこで、決定部１２は、図６Ｃに示されるように、照射領域２００を決定する。
【００３５】
図６Ｃは、実施の形態１に係る決定部１２の、調整点２０１を天井面１２０側に位置する基準点１０１ａに一致させるときの動作を説明するための図である。
【００３６】
図６Ｃに示されるように、決定部１２は、照射領域２００の端部の少なくとも一部が壁面１００の天井面１２０側に位置する基準点１０１ａに一致するように照射領域２００を決定する。これにより、決定部１２は、調整点２０１を壁面１００の四隅のうちの床面１３０側に位置する基準点１０１ｂには一致させられないが、天井面１２０側に位置する基準点１０１ａに一致させることができる。例えば、照明システム１の施工後に、障害物１４０ａが設置された場合、決定部１２は、調整点２０１を壁面１００の四隅の基準点１０１ではなく天井面１２０側に位置する基準点１０１ａに一致するように照射領域２００を決定する。
【００３７】
また、図６Ｂでは、床面１３０側の基準点１０１が障害物１４０ａによって隠されたが、図７Ａのように障害物１４０ｂによって基準点１０１が隠される場合もある。
【００３８】
図７Ａは、壁面１００の天井面１２０側の基準点１０１ａの前に障害物１４０ｂがある状態を示す図である。
【００３９】
図７Ａに示されるように、障害物１４０ｂが壁面１００の前に天井面１２０側の基準点１０１ａが隠れるように天井面１２０に設置又は天井面１２０から吊るされた場合、決定部１２は、調整点２０１を壁面１００の四隅の基準点１０１に一致させられない。また、例えば、図６Ａと同様に、壁面１００の大きさが、光照射部１１が光を照射可能な領域よりも大きい場合、決定部１２は、調整点２０１を壁面１００の四隅の基準点１０１に一致させられない。そこで、決定部１２は、図７Ｂに示されるように、照射領域２００を決定する。
【００４０】
図７Ｂは、実施の形態１に係る決定部１２の、調整点２０１を床面１３０側に位置する基準点１０１ｂに一致させるときの動作を説明するための図である。
【００４１】
図７Ｂに示されるように、決定部１２は、照射領域２００の端部の少なくとも一部が壁面１００の床面１３０側に位置する基準点１０１ｂに一致するように照射領域２００を決定する。これにより、決定部１２は、調整点２０１を壁面１００の四隅のうちの天井面１２０側に位置する基準点１０１ａには一致させられないが、床面１３０側に位置する基準点１０１ｂに一致させることができる。
【００４２】
このように、決定部１２は、光照射部１１が出射する照明光の照射領域２００の端部の少なくとも一部が建築躯体の所定の面と所定の面に隣接する面との境界における所定の基準点１０１に一致するように照射領域２００を決定する。具体的には、所定の面が略多角形の形状を有する場合、決定部１２は、照射領域２００の端部の少なくとも一部が所定の面の頂点に位置する基準点１０１に一致するように照射領域２００を決定する。また、所定の面が壁面１００の場合、決定部１２は、照射領域２００の端部の少なくとも一部が壁面１００の天井面１２０側に位置する基準点１０１ａに一致するように照射領域２００を決定する。もしくは、所定の面が壁面１００の場合、決定部１２は、照射領域２００の端部の少なくとも一部が壁面１００の床面１３０側に位置する基準点１０１ｂに一致するように照射領域２００を決定する。
【００４３】
［光照射部の動作］
光照射部１１は、決定部１２が決定した照射領域２００に応じて壁面１００（所定の面）を照射する。なお、光照射部１１が照射領域２００に応じて壁面１００を照射する方法は、特に限定されない。例えば、機械的にレンズ（図示せず）と光源との位置関係を可動させることで、光照射部１１が照射領域２００に応じて壁面１００を照射してもよい。また、例えば、予め照射領域２００よりも大きい領域を照射できるようにしておき、照射領域２００を除く領域に光が当たらないようにしてもよい。この場合、例えば、照射領域２００を除く領域に光が当たらないように物理的にマスクをしてもよく、また、照射領域２００を除く領域に対応する映像素子が光らないようにしてもよい。
【００４４】
また、図６Ｃ及び図７Ｂに示されるように、決定部１２が例えば略四角形の形状の壁面１００の四隅に位置する基準点１０１全てに調整点２０１を一致させられない場合の光照射部１１の動作について、図８を用いて説明する。
【００４５】
図８は、実施の形態１に係る光照射部１１の、調整点２０１と壁面１００の四隅に位置する基準点１０１とが一致していないときの動作を説明するための図である。図８には、図６Ｃに示されるように、決定部１２が、調整点２０１が壁面１００の天井面１２０側に位置する基準点１０１ａに一致するように照射領域２００を決定したときの、照射領域２００が示される。
【００４６】
光照射部１１は、照射領域２００の端部のうち建築躯体の境界に一致していない端部にグラデーション処理をした照明光を出射する。光照射部１１は、例えば、基準点１０１ａに一致している調整点２０１につながる照射領域２００の端部が建築躯体の境界に一致していると判定する。具体的には、光照射部１１は、図８に示される領域２０２における端部を除く照射領域２００の端部が壁面１００と壁面１１０との境界、及び、壁面１００と天井面１２０との境界に一致していると判定する。このように、光照射部１１は、照射領域２００の端部のうち建築躯体の境界に一致していない端部を判定し、当該端部にグラデーション処理をした照明光を出射する。
【００４７】
光照射部１１は、グラデーション処理をした照明光として、例えば照明光の照度が照射領域２００外の照度に向けて段階的に変化する光を出射する。例えば、１００ｌｘで照射領域２００外が照射されている場合に、光照射部１１は、領域２０２において照射領域２００側から照明光で照射されていない壁面１００側へ、段階的に約１００ｌｘの照度に変化していく照明光を出射する。
【００４８】
また、光照射部１１は、グラデーション処理をした照明光として、例えば照明光の色温度が照射領域２００外の色温度に向けて段階的に変化する光を出射する。例えば、電球色（約３０００Ｋ）で照射領域２００外が照射されている場合に、光照射部１１は、領域２０２において照射領域２００側から照明光で照射されていない壁面１００側へ、段階的に約３０００Ｋの色温度に変化していく照明光を出射する。
【００４９】
なお、光照射部１１は、グラデーション処理をした照明光として、例えば照明光の照度及び色温度の両方が照射領域２００外の照度及び色温度に向けて段階的に変化する光を出射してもよい。
【００５０】
［効果］
照明装置の施工後に照明装置に加わる振動又は衝撃等の外力によって照明装置の照射領域がずれてしまう。従来の照明装置では、照明装置が施工された後であっても、建築躯体の境界と照射領域の端部とを一致させた状態（ユーザに高い没入感及び臨場感を与えられる状態）を維持するためには、日常的に照明装置の照射領域のズレを補正する必要があり、手間がかかってしまっていた。
【００５１】
そこで、本実施の形態に係る照明装置１０は、建築躯体の所定の面を照射する照明装置１０であって、照明光を出射する光照射部１１と、光照射部１１が出射する照明光の照射領域２００の端部の少なくとも一部が所定の面と所定の面に隣接する面との境界における所定の基準点１０１に一致するように照射領域２００を決定する決定部１２と、を備える。光照射部１１は、決定部１２が決定した照射領域２００に応じて所定の面を照射する。
【００５２】
また、本実施の形態に係る照明システム１は、上記の照明装置１０と、所定の基準点１０１を検出する検出部２０と、を備える。
【００５３】
これにより、照射領域２００の端部が建築躯体の境界に一致するように照射領域２００が決定され、決定された照射領域２００に応じて照明光が照射されるため、日常的に照明装置１０の照射領域２００のズレを補正することなくユーザに高い没入感及び臨場感を与えられる。
【００５４】
また、所定の面は略多角形の形状を有し、決定部１２は、照射領域２００の端部の少なくとも一部が所定の面の頂点に位置する基準点１０１に一致するように照射領域２００を決定する。
【００５５】
これにより、所定の面が略多角形の形状のように単純な形状を有する場合、照射領域２００の端部の少なくとも一部を所定の面の頂点に位置する基準点１０１に一致させるだけで、容易に照射領域２００の端部全体を建築躯体の境界全体に一致させることができる。
【００５６】
また、所定の面は壁面１００であり、決定部１２は、照射領域２００の端部の少なくとも一部が壁面１００の天井面１２０側に位置する基準点１０１に一致するように照射領域２００を決定する。
【００５７】
これにより、壁面１００の境界全体に照射領域２００の端部全体を一致させられなくても、壁面１００の天井面１２０側を見ているユーザに高い没入感及び臨場感を与えられる。
【００５８】
また、所定の面は壁面１００であり、決定部１２は、照射領域２００の端部の少なくとも一部が壁面１００の床面１３０側に位置する基準点１０１に一致するように照射領域２００を決定する。
【００５９】
これにより、壁面１００の境界全体に照射領域２００の端部全体を一致させられなくても、壁面１００の床面１３０側を見ているユーザに高い没入感及び臨場感を与えられる。なお、ユーザの視点は床面１３０側よりも天井面１２０側に行きやすい。したがって、例えば、天井面１２０側に障害物１４０ｂがある場合、又は、天井面１２０が高い位置にある場合等を除いて、照射領域２００の端部の少なくとも一部を壁面１００の天井面１２０側に位置する基準点１０１ａに一致させることが好ましい。
【００６０】
また、決定部１２は、照射領域２００の端部の少なくとも一部が建築躯体の境界に一致するように照射領域２００を決定する。
【００６１】
これにより、所定の面が略多角形の形状のように単純な形状を有していない場合でも、照射領域２００の端部を建築躯体の境界に一致させることができ、ユーザに高い没入感及び臨場感を与えられる。
【００６２】
また、光照射部１１は、照射領域２００の端部のうち建築躯体の境界に一致していない端部にグラデーション処理をした照明光を出射する。
【００６３】
これにより、照射領域２００の端部のうち建築躯体の境界に一致していない端部を目立たなくすることができ、ユーザに高い没入感及び臨場感を与えられる。
【００６４】
また、光照射部１１は、グラデーション処理をした照明光として、照明光の照度が照射領域２００外の照度に向けて段階的に変化する光を出射する。
【００６５】
これにより、照射領域２００の端部のうち建築躯体の境界に一致していない端部の照度を照射領域２００外の照度に向けて段階的に変化することによって、建築躯体の境界に一致していない端部をより目立たなくすることができ、ユーザに高い没入感及び臨場感を与えられる。
【００６６】
また、光照射部１１は、グラデーション処理をした照明光として、照明光の色温度が照射領域２００外の色温度に向けて段階的に変化する光を出射する。
【００６７】
これにより、照射領域２００の端部のうち建築躯体の境界に一致していない端部の色温度を照射領域２００外の色温度に向けて段階的に変化することによって、建築躯体の境界に一致していない端部をより目立たなくすることができ、ユーザに高い没入感及び臨場感を与えられる。
【００６８】
（実施の形態２）
以下、実施の形態２について、図９Ａ〜図９Ｃを用いて説明する。
【００６９】
図９Ａは、実施の形態２に係る照明システム１ａの設置例を示す図である。
【００７０】
図９Ｂは、建築躯体の境界における曲面を説明するための図である。
【００７１】
図９Ｃは、実施の形態２に係る光照射部１１及び決定部１２の動作を説明するための図である。
【００７２】
本実施の形態に係る照明システム１ａは、建築躯体の境界が明確でない場合に適用される。建築躯体の境界が明確でない場合とは、例えば、図９Ａに示されるように、壁面３００と壁面３１０との間の境界、壁面３００と天井面３２０との間の境界、及び、壁面３００と床面３３０との間の境界が明確でない場合のことである。具体的には、例えば、これらの境界が曲面になっている場合、建築躯体の境界が明確でないといえる。図９Ｂには、壁面３００と天井面３２０との間の境界、及び、壁面３００と床面３３０との間の境界の断面が示される。図９Ｂに示されるように、建築躯体の境界が曲面になっており、建築躯体の境界が明確でないことがわかる。
【００７３】
この場合、検出部２０は、基準点１０１を明確に検出することができない。そこで、検出部２０は、例えば、上述した曲面の曲率が所定以上の領域を基準点１０１が存在する領域と推定し、当該領域として基準領域３０１を検出する。基準領域３０１は、例えば、図９Ａに示される点線で囲まれた領域である。図９Ｂにも、基準領域３０１が示される。このように、検出部２０は、基準点１０１が存在する領域として、所定の範囲を持つ基準領域３０１を検出する。そして、検出部２０は、検出した基準領域３０１を示す情報を決定部１２に送る。
【００７４】
決定部１２は、照射領域２００の端部の少なくとも一部が基準領域３０１の少なくとも一部に一致するように照射領域２００を決定する。具体的には、照射領域２００の端部の少なくとも一部が基準領域３０１内に重なるように、照射領域２００を決定する。図９Ｃには、照射領域２００の端部が基準領域３０１に一致したときの状態が示される。これにより、決定部１２は、照射領域２００の端部の少なくとも一部が基準点１０１に一致しているとみなす。
【００７５】
そして、光照射部１１は、決定部１２が決定した照射領域２００の端部近傍２０３にグラデーション処理をした照明光を出射する。端部近傍２０３は、例えば、図９Ｃに示される点線で囲まれた領域である。
【００７６】
これにより、建築躯体の境界が明確でない場合であっても、決定部１２は照射領域２００の端部を基準点１０１が存在する領域と推定される領域（基準領域３０１）に一致させ、光照射部１１は照射領域２００の端部近傍２０３にグラデーション処理をした照明光を出射する。したがって、建築躯体の境界が明確でない場合であっても、照射領域２００の端部を目立たなくすることができ、ユーザに高い没入感及び臨場感を与えられる。
【００７７】
（実施の形態３）
以下、実施の形態３について、図１０Ａ及び図１０Ｂを用いて説明する。
【００７８】
図１０Ａは、実施の形態３に係る照明システム１ｂの設置例を示す図である。
【００７９】
図１０Ｂは、実施の形態３に係る光照射部１１及び決定部１２の動作を説明するための図である。
【００８０】
本実施の形態に係る照明システム１ｂは、建築躯体の面のうち同一平面上にない複数の隣接する面に照明光を照射する場合に適用される。本実施の形態では、建築躯体の面のうち同一平面上にない複数の隣接する面を、例えば、壁面１００、及び、図１０Ａにおける壁面１００の左側に隣接する壁面１１０ａとする。なお、建築躯体の面のうち同一平面上にない複数の隣接する面は、これに限らず、例えば、壁面１００及び壁面１００の両側に隣接する壁面１１０、壁面１００及び天井面１２０、並びに、壁面１００及び床面１３０であってもよい。
【００８１】
検出部２０は、建築躯体の境界における基準点１０１として、図１０Ａに示されるように、壁面１００の頂点及び壁面１１０ａの頂点を検出する。具体的には、壁面１００の左側の２つの頂点と壁面１１０ａの右側の２つの頂点は壁面１００及び壁面１１０ａの共通の頂点となっているため、検出部２０は、６つの基準点１０１を検出する。そして、検出部２０は、検出した基準点１０１を示す情報を決定部１２に送る。
【００８２】
決定部１２は、照射領域２００の端部の少なくとも一部が複数の隣接する面と複数の隣接する面に隣接する面との境界のうちの所定の基準点１０１に一致するように照射領域２００を決定する。ここで、複数の隣接する面は、壁面１００及び壁面１１０ａである。また、複数の隣接する面に隣接する面は、壁面１１０ｂ、天井面１２０、床面１３０及び図１０における手前の面（図示せず）である。決定部１２は、図１０Ｂに示されるように、照射領域２００の端部の少なくとも一部として調整点２０１が基準点１０１に一致するように照射領域２００を決定する。
【００８３】
そして、光照射部１１は、決定部１２が決定した照射領域２００に応じて壁面１００及び壁面１１０ａを照明する。
【００８４】
このように、所定の面は、同一平面上にない複数の隣接する面を含み、決定部１２は、照射領域２００の端部の少なくとも一部が複数の隣接する面と複数の隣接する面に隣接する面との境界における所定の基準点１０１に一致するように照射領域２００を決定する。
【００８５】
これにより、１つの面だけでなく同一平面上にない複数の隣接する面と他の面との境界において照射領域２００の端部が建築躯体の境界に一致するため、ユーザにより高い没入感及び臨場感を与えられる。
【００８６】
（その他の実施の形態）
以上、実施の形態に係る照明装置及び照明システムについて説明したが、本発明は、上記実施の形態に限定されるものではない。
【００８７】
例えば、上記実施の形態では、照明システムは、天井面１２０（３２０）に設置されたが、これに限らない。例えば、照明システムは、床面１３０（３３０）に設置されてもよい。また、照明システムは、建築躯体に設置されなくてもよく、例えば机等に置かれてもよい。
【００８８】
また、例えば、上記実施の形態では、照明システムは、壁面１００（３００）を照射したが、これに限らない。例えば、照明システムは、天井面１２０（３２０）又は床面１３０（３３０）を照射してもよい。
【００８９】
また、例えば、上記実施の形態では、壁面１００は、略多角形の形状として略四角形の形状を有したが、これに限らない。例えば、壁面１００は、略三角形又は略五角形以上の形状を有してよい。また、壁面１００は、略多角形の形状を有さなくてもよく、円形等のその他の形状を有してもよい。
【００９０】
また、例えば、上記実施の形態では、照明装置１０と検出部２０とが照明システムとして一体に示されるが、照明装置１０と検出部２０とは別体であってもよい。この場合、照明装置１０は、通信部（図示せず）を備え、検出部２０と有線又は無線で通信する。
【００９１】
なお、本発明の包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【００９２】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００９３】
１、１ａ、１ｂ  照明システム
１０  照明装置
１１  光照射部
１２  決定部
２０  検出部
１００、１１０、１１０ａ、１１０ｂ、３００、３１０  壁面
１０１、１０１ａ、１０１ｂ  基準点
１２０、３２０  天井面
１３０、３３０  床面
２００  照射領域
２０３  端部近傍
【図１】
0006590313.tif 000002
【図２】
0006590313.tif 000003
【図３】
0006590313.tif 000004
【図４】
0006590313.tif 000005
【図５】
0006590313.tif 000006
【図６Ａ】
0006590313.tif 000007
【図６Ｂ】
0006590313.tif 000008
【図６Ｃ】
0006590313.tif 000009
【図７Ａ】
0006590313.tif 000010
【図７Ｂ】
0006590313.tif 000011
【図８】
0006590313.tif 000012
【図９Ａ】
0006590313.tif 000013
【図９Ｂ】
0006590313.tif 000014
【図９Ｃ】
0006590313.tif 000015
【図１０Ａ】
0006590313.tif 000016
【図１０Ｂ】
0006590313.tif 000017